(57)【特許請求の範囲】
【請求項１】
カラー画像を表すデジタル画像信号を可視像として再生する画像再生方法において、
前記画像信号のヒストグラムを作成し、
該ヒストグラムに基づいて該画像信号のダイナミックレンジを算出し、
該ダイナミックレンジに基づいて、信号値の比較的高い部分および信号値の比較的低い部分については、前記画像信号の所定の基準信号における圧縮率が略０となるように、前記画像における最高輝度近傍および最低輝度近傍の信号をそれぞれ所定範囲に収めるダイナミックレンジ圧縮率を設定するとともに、前記画像信号の全体については、前記ダイナミックレンジが所定の閾値よりも大きい場合にのみ、前記所定の基準信号における圧縮率が略０となるように、前記画像信号の全体のダイナミックレンジを圧縮するダイナミックレンジ圧縮率を設定し、
前記信号値の高い部分、前記信号値の低い部分および前記画像信号の全体のそれぞれについて設定されたダイナミックレンジ圧縮率により前記画像信号に対してダイナミックレンジ圧縮処理を施し、
該ダイナミックレンジ圧縮処理が施された画像信号に対して階調処理を施して処理済画像信号を得、
該処理済画像信号を可視像として再生することを特徴とする画像再生方法。
【請求項２】
前記画像信号を得るのに先立ち、該画像信号よりも画素間隔が粗い先読画像信号を得、該先読画像信号に基づいて前記ダイナミックレンジの算出および前記ダイナミックレンジ圧縮率の設定を行うことを特徴とする請求項１記載の画像再生方法。
【請求項３】
前記画像信号を明暗信号に変換し、該明暗信号のボケ画像を表すボケ画像信号を作成し、該ボケ画像信号に基づいて前記ダイナミックレンジの算出、前記ダイナミックレンジ圧縮率の設定および前記ダイナミックレンジ圧縮処理を行うことを特徴とする請求項１または２記載の画像再生方法。
【請求項４】
前記ダイナミックレンジ圧縮処理を施す画像信号のビット数を、前記処理済画像信号のビット数よりも大きくして前記ダイナミックレンジ圧縮処理を行うことを特徴とする請求項１から３のいずれか１項記載の画像再生方法。
【請求項５】
カラー画像を表すデジタル画像信号を可視像として再生する画像再生装置において、
前記画像信号のヒストグラムを作成するヒストグラム作成手段と、
該ヒストグラムに基づいて該画像信号のダイナミックレンジを算出するダイナミックレンジ算出手段と、
該ダイナミックレンジに基づいて、信号値の比較的高い部分および信号値の比較的低い部分については、前記画像信号の所定の基準信号における圧縮率が略０となるように、前記画像における最高輝度近傍および最低輝度近傍の信号をそれぞれ所定範囲に収めるダイナミックレンジ圧縮率を設定するとともに、前記画像信号の全体については、前記ダイナミックレンジが所定の閾値よりも大きい場合にのみ、前記所定の基準信号における圧縮率が略０となるように、前記画像信号の全体のダイナミックレンジを圧縮するダイナミックレンジ圧縮率を設定する圧縮率設定手段と、
前記信号値の高い部分、前記信号値の低い部分および前記画像信号の全体のそれぞれについて設定されたダイナミックレンジ圧縮率により前記画像信号に対してダイナミックレンジ圧縮処理を施すダイナミックレンジ圧縮処理手段と、
該ダイナミックレンジ圧縮処理が施された画像信号に対して階調処理を施して処理済画像信号を得る階調処理手段と、
該処理済画像信号を可視像として再生する再生手段とを備えたことを特徴とする画像再生装置。
【請求項６】
前記画像信号を得るのに先立ち、該画像信号よりも画素間隔が粗い先読画像信号を得、該先読画像信号に基づいて前記ダイナミックレンジ算出手段、前記圧縮率設定手段および前記ダイナミックレンジ圧縮処理手段において、前記ダイナミックレンジの算出、前記ダイナミックレンジ圧縮率の設定および前記ダイナミックレンジ圧縮処理を行うことを特徴とする請求項５記載の画像再生装置。
【請求項７】
前記画像信号を明暗信号に変換する変換手段と、該明暗信号のボケ画像を表すボケ画像信号を作成するボケ画像信号作成手段とをさらに備え、前記ダイナミックレンジ圧縮処理手段が、該ボケ画像信号に対してダイナミックレンジ圧縮処理を施す手段であることを特徴とする請求項５または６記載の画像再生装置。
【請求項８】
前記ダイナミックレンジ圧縮処理を施す画像信号のビット数を、前記処理済画像信号のビット数よりも大きくして前記ダイナミックレンジ圧縮処理を行うことを特徴とする請求項５から７のいずれか１項記載の画像再生装置。
【発明の詳細な説明】
【０００１】
【発明の属する技術分野】
本発明は、写真や印刷物等の反射原稿、ネガフイルム、リバーサルフイルム等の透過原稿に担持されるカラー画像から得られる画像信号を可視像として表示するための画像再生方法および装置に関する。
【０００２】
【従来の技術】
近年、ネガフイルム、リバーサルフイルム等の写真フイルム（以下、フイルムとする）や印刷物等に記録された画像情報を光電的に読み取って、読み取った画像をデジタル信号とした後、種々の画像処理を施して記録用の画像情報とし、この画像情報に応じて変調した記録光によって印画紙等の感光材料を走査露光してプリントするデジタルフォトプリンタの開発が進んでいる。
【０００３】
デジタルフォトプリンタは、複数画像の合成や画像の分割等の編集や、文字と画像との編集等のプリント画像のレイアウトや、色／濃度調整、変倍率、輪郭強調等の各種の画像処理も自由に行うことができ、用途に応じて自由に編集および画像処理したプリントを出力することができる。また、従来の面露光によるプリントでは、感光材料の再現可能濃度域の制約のため、フイルム等に記録されている画像濃度情報をすべて再生することはできないが、デジタルフォトプリンタによればフイルムに記録されている画像濃度情報をほぼ100 ％再生したプリントが出力可能である。
【０００４】
このようなデジタルフォトプリンタは基本的に、フイルム等の原稿に記録された画像を読み取る読取手段、読み取った画像を画像処理して後の露光条件を決定し、決定された露光条件に従って感光材料を走査露光して現像処理を施したり、モニタに表示したりする画像再生手段より構成される。
【０００５】
フイルム等に記録された画像の読取装置においては、例えばスリット走査による読取りでは、１次元方向に延在するスリット状の読取光をフイルムに照射するとともに、フイルムをこの１次元方向と略直交する方向に移動（あるいは読取光と光電変換素子とを移動）することにより、フイルムを２次元的に走査する。フイルムを透過したフイルム画像を担持する透過光は、ＣＣＤラインセンサ等の光電変換素子の受光面上に結像して、光電変換されて読み取られる。読み取られた光量データは増幅され、Ａ／Ｄ変換によりデジタル信号とされ、各ＣＣＤ素子による特性のバラツキの補正、濃度変換、倍率変換等の各種の画像処理が施されて、再生手段に転送される。
【０００６】
再生手段においては、転送された画像情報を、例えばＣＲＴ等のディスプレイに可視像として再生する。オぺレータは、再現画像を見て、必要であればこの再生画像に階調補正や色／濃度補正等の補正をさらに加え（セットアップ条件の設定）、再生画像が仕上りプリントとして合格（検定ＯＫ）であれば、記録用の画像情報として現像手段やモニタに転送する。
【０００７】
画像再生装置においては、ラスタースキャン（光ビーム走査）による画像記録を利用するものであれば、感光材料に形成される３原色の感光層、例えばＲ、ＧおよびＢの３色の露光に対応する３種の光ビームを、記録用の画像情報に応じて変調して主走査方向（前記１次元方向に対応）に偏向すると共に、この主走査方向と略直交する方向に、感光材料を副走査搬送する（偏向された光ビームと感光材料とを相対的に副走査する）ことにより、記録画像に応じて変調された光ビームによって感光材料を２次元的に走査露光して、読み取ったフイルムの画像を感光材料に記録する。
【０００８】
露光済の感光材料は、次いで感光材料に応じた現像処理、例えば銀塩写真感光材料であれば、発色・現像→漂白・定着→水洗→乾燥等の現像処理が施され、仕上りプリントとして出力される。
【０００９】
このような感光材料が記録できる被写体の輝度レンジは比較的広いが、感光材料は最大濃度が制限されているため、通常のプリント方法では輝度差が大きいシーンのプリントは明るい部分（明部）あるいは暗い部分（暗部）のどちらかがつぶれてしまう傾向がある。例えば、人物を逆光で撮影したような場合、人物が明瞭となるようにプリントすると、空のような明るい部分は白くとんでしまい、空のような明るい部分が明瞭となるようにすると人物が黒くなってつぶれてしまう。この問題を解決するために、覆い焼きやマスキングプリントというような方法が用いられている。
【００１０】
覆い焼きはシーンの中の中間的な濃度の領域には通常の露光を与え、プリント上で白くとびそうな領域に穴あき遮蔽板を使って選択的に長時間露光を与えたり、プリント上で黒くつぶれそうな領域には遮蔽板を用いて選択的に露光時間を短くすることにより、個々の被写体のコントラストは維持し、かつ明部・暗部のつぶれのないプリントを得るというものである。このように局部的に露光時間を制御する遮蔽板として、原画フイルムのネガポジを反転したボケ像を写真的に作成したものを用いて、原画フイルムとボケ画像フイルムとを重ねてプリントを行う方法が提案されている。
【００１１】
また、写真原画の照明光源の明るさを部分的に変化させることにより、覆い焼きと同様の効果を得ることができるマスキングプリント方法も提案されている（例えば特開昭58-66929号、特開昭64-35542号、特公昭64-10819号）。
【００１２】
特開昭58-66929号には、ＣＲＴを照明光源にして、メモリスキャンにより原画を測光してカラー原画のボケマスクデータを作成し、露光モードにおいてはこのボケマスクデータによりＣＲＴの発生を制御して、原画が確実に感光材料のコントラスト再現限界に記録されるようにコントラストの制御を行う装置が記載されている。
【００１３】
また、特開昭64-35542号には、ＣＲＴを照明光源とし、原画を測光する光路と感光材料に露光する光路とを切り換え可能にしておき、再生される画像の階調補正と彩度補正を行うための露光時のＣＲＴの輝度制御信号を原画の測光データに基づいて作成するとともに、再生画像をモニタに表示するための信号を生成し、これを観察してＣＲＴからの光量を制御して所望とする再生画像が得られるようにした装置が記載されている。
【００１４】
さらに、特公昭64-10819号には、均一な面光源と原画との間に液晶のような光の透過率を部分的に変化させることができるマトリクスデバイスを配置し、原画の測光データに基づいてこの液晶の透過率を制御して再生画像のコントラストを調整することができるようにした装置が記載されている。
【００１５】
一方、再生時のグレーバランスを補正するために、原画上の各色毎に濃度値の最大、最小値が再生画像上でそれぞれ予め設定された一定の値になるように変換する方法が提案されている（特開平6-242521号）。この方法は階調の制御をフイルムのコマごとに行うことができるため、輝度差が大きいシーンでは画像全体の階調を軟調化してシーンの輝度レンジが感光材料のダイナミックレンジ内に収まるようにして明部および暗部のつぶれをなくすようにしたものである。
【００１６】
【発明が解決しようとする課題】
しかしながら、上述した覆い焼きやマスキングプリントを行う方法においては、再生される画像に関係なく用意される遮蔽板を操作するために、極めて高度な技術を必要とし、またボケ像フイルムを作成するためには非常に手間がかかり、プリント効率が極めて低くなってしまう。
【００１７】
また、上述した特開昭58-66929号、特開昭64-35542号、特公昭64-10819号においては、ある程度大きな構造物のコントラストは照明光源の輝度分布により調整することにより再生することはできる。しかしながら、再生画像の局所的な構造は原画フイルムの投影像に対応しているため、エッジ部も含めた色再現を自由にコントロールすることができない、エッジの鮮鋭度を自由にコントロールできない、あるいは原画のオーバー、アンダー部などの階調を自由にコントロールできないなどの欠点がある。
【００１８】
さらに特開昭58-66929号、特開昭64-35542号、特公昭64-10819号のそれぞれに記載された装置においては、測光および露光のための処理がシーケンシャルに行われるため処理能力が遅く、また測光時と露光時とで原画の移動量がずれた場合にプリントされる像が乱れるという問題がある。また、液晶を用いる特公昭64-10819号においては、液晶の透過率は最大３０％程度であるため露光時間が長くなってしまう。さらに、ＣＲＴの管面はガラスで覆われておりガラスの内側が光るようになっているものである。このためＣＲＴの管面にフイルムを密着させてもＣＲＴの光っている面とフイルムとの間には実質的に隙間ができることとなる。このため測光データを表示する特開昭64-35542号においては、測光時にＣＲＴ発光面とフイルム面との間の隙間により、測光結像系にボケが生じて鮮明なモニタ画像を得ることができないという問題がある。
【００１９】
また、特開平6-242521号においては、明部および暗部のつぶれをなくすことはできるものの、個々の被写体のコントラストが弱くなり、めりはりのないプリント像になってしまうという問題がある。
【００２０】
このため、カラー画像中の空間周波数が低い構造物のみを表すボケ画像信号をデジタル画像信号から減算することにより差信号を得、得られた差信号に対し、濃度、彩度および／または階調を変化させる処理を施し、この処理が施された差信号を可視像として再生手段に再生することにより、原画像全体のコントラストが強い場合であっても、画像全体のコントラストを弱め、かつ画像中の明部および暗部内の細かなコントラストを残し、明部および暗部の双方の画像がつぶれることをなくした画像再生方法が提案されている（特開平2-226375号、特願平7-165965号）。
【００２１】
しかしながら、このような画像再生方法においては、画像全体のダイナミックレンジを圧縮することはできるものの、ダイナミックレンジ圧縮が不要な大面積コントラストの弱いシーンに対してもダイナミックレンジ圧縮処理を行ってしまうため、画像全体としてのめりはりがなくなり、画像が見にくくなってしまっていた。
【００２２】
さらに、シーンによっては、明るい側あるいは暗い側に画像信号のヒストグラムが偏っているものがあり、このようなシーンに対しては、明部あるいは暗部のいずれかについてのみダイナミックレンジ圧縮処理を施すことが好ましい。しかしながら、従来の方法においては画像全体に亘って一様にダイナミックレンジ圧縮処理が施されてしまうため、大面積コントラストが弱い側のめりはりがなくなってしまい、画像が見にくくなっていた。
【００２３】
本発明は上記事情に鑑み、大面積コントラストが大きい画像であっても画像のめりはりを失うことなく、明部および暗部のつぶれをなくし、さらには大面積コントラストが弱いシーンに対してダイナミックレンジ圧縮処理による影響を及ぼすことがなく、高画質のプリント画像を得ることができる画像再生方法および装置を提供することを目的とするものである。
【００２４】
【課題を解決するための手段】
本発明による画像再生方法および装置は、カラー画像を表すデジタル画像信号を可視像として再生する画像再生方法および装置において、
前記画像信号のヒストグラムを作成し、該ヒストグラムに基づいて該画像信号のダイナミックレンジを算出し、該ダイナミックレンジに基づいて、前記画像信号の所定の基準信号を基準として、該基準信号については圧縮率が略０となるように、信号値の比較的高い部分、信号値の比較的低い部分および／または前記画像信号の全体のそれぞれに応じたダイナミックレンジ圧縮率を設定し、設定されたダイナミックレンジ圧縮率により前記画像信号に対してダイナミックレンジ圧縮処理を施して処理済画像信号を得、該処理済画像信号を可視像として再生することを特徴とするものである。
【００２５】
また、上記画像再生方法においては、前記ダイナミックレンジが所定の閾値よりも大きい場合にのみ前記ダイナミックレンジ圧縮処理を行うことが好ましい。
【００２６】
さらに、前記画像信号を得るのに先立ち、該画像信号よりも画素間隔が粗い先読画像信号を得、該先読画像信号に基づいて前記ダイナミックレンジの算出および前記ダイナミックレンジ圧縮率の設定を行うことが好ましい。
【００２７】
また、前記画像信号を明暗信号に変換し、該明暗信号のボケ画像を表すボケ画像信号を作成し、該ボケ画像信号に基づいて前記ダイナミックレンジの算出、前記ダイナミックレンジ圧縮率の設定および前記ダイナミックレンジ圧縮処理を行うことが好ましい。
【００２８】
さらに、ダイナミックレンジ圧縮処理を施す画像信号のビット数を、処理済画像信号のビット数よりも大きくしてダイナミックレンジ圧縮処理を行うことが好ましい。とくに、ボケ画像信号に基づいて処理する場合には、ダイナミックレンジ圧縮信号の分解能が不足することにより偽輪郭が発生しないように、入力される画像信号のビット幅よりも多く取ることが望ましい。
【００２９】
【発明の効果】
本発明による画像再生方法は、画像信号のヒストグラムを求め、このヒストグラムに基づいて、ある所定の基準信号を基準として、画像信号の全体、信号値の高い部分および／または信号値の低い部分のそれぞれに応じたダイナミックレンジ圧縮率を設定し、設定されたダイナミックレンジ圧縮率によりダイナミックレンジ圧縮処理を行うようにしたものである。ここで、信号値の高い部分は再生画像における明部であり、信号値の低い部分は再生画像における暗部である。したがって、画像がつぶれてしまう明部および暗部についてのみダイナミックレンジ圧縮処理を施すような圧縮率を設定することにより、大面積コントラストが強い部分についてのみダイナミックレンジ圧縮処理が施されることとなり、これにより明部あるいは暗部についてのみ大面積コントラストが弱められ、大面積コントラストが弱い部分については、ダイナミックレンジ圧縮処理は施されないこととなる。このため、明部および暗部の画像がつぶれることがなくなり、かつ大面積コントラストが弱い部分についてはさらに弱められることがなくなり、再生画像の画質を向上させることができる。
【００３０】
なお、画像信号の所定の基準信号については、ダイナミックレンジ圧縮率が略０となるように設定されているため、この基準信号を画像中の主要な被写体の濃度に設定することにより、主要な被写体についてはダイナミックレンジ圧縮処理が施されることがなくなる。一方、画像全体の明るさ調整は、別個に処理を行うことにより、ダイナミックレンジ圧縮と明るさ調整との機能分離が明確となり、明るさ補正等の処理をし易くすることができる。
【００３１】
また、ヒストグラムから算出されたダイナミックレンジが所定の閾値よりも大きい場合にのみ、ダイナミックレンジ圧縮処理を施すことにより、ダイナミックレンジが所定の閾値よりも小さい場合にはダイナミックレンジ圧縮処理は施されないこととなる。このため、ダイナミックレンジが小さな大面積コントラストの弱い画像に対してはダイナミックレンジ圧縮処理を行わないようにすることができ、これにより、大面積コントラストの弱い画像の大面積コントラストがさらに弱められることを防止することができる。
【００３２】
また、画像信号を明暗信号に変換し、この明暗信号をフィルタリング処理するなどしてボケ画像信号を作成し、このボケ画像信号に対してダイナミックレンジ圧縮処理を施すことにより、処理済画像信号を再生した画像は、特に画像内の被写体のエッジ部分においてカラー画像と比較して明るさは変化しているものの、色の再現性は担保されることとなる。したがって、元のカラー画像と比較して不自然さのない画像を得ることができる。
【００３３】
さらに、ダイナミックレンジ圧縮処理が施される画像信号のビット幅を処理済画像信号のビット幅よりも多くとることにより、分解能が不足することによる偽輪郭が発生しにくくなり、より高画質な画像を得ることができる。
【００３４】
【発明の実施の形態】
以下図面を参照して本発明の実施の形態について説明する。
【００３５】
図１は本発明による画像再生装置を表す図である。図１に示すように本発明の実施の形態による画像再生装置１は、画像読取部１Ａと、画像処理部１Ｂとからなる。画像読取部１Ａは、光源２と、光源２からの光量を調整するための調光部３と、光源２からの光をＲＧＢの３色に変換するためのＲＧＢフィルタ４と、ＲＧＢフィルタ４を透過した光を拡散させてフイルム６に照射するためのミラーボックス５と、フイルム６を透過した光をエリアタイプのＣＣＤ８に結像させるためのレンズ７とからなるものである。なお、画像読取方式はエリアタイプのＣＣＤの代りに、ラインセンサを相対的に移動する方式でも、ドラムスキャナのようにスポット測光する方式でもよい。なお、画像読取部１Ａにおいては、ＣＣＤ８の検出間隔を比較的粗くして先読画像信号ＳP を得る先読みと、この先読みの後ＣＣＤ８の検出間隔を比較的細かくして本読画像信号ＳQ を得る本読みとを行うものである。
【００３６】
一方、画像処理部１Ｂは、ＣＣＤ８において検出されたＲＧＢ３色の画像信号を増幅するためのアンプ10と、増幅された画像信号をデジタル画像信号にＡ／Ｄ変換するためのＡ／Ｄ変換手段11と、デジタル画像信号を濃度信号に変換するためのルックアップテーブル（ＬＵＴ）12と、濃度変換されたデジタル画像信号をＲＧＢの色ごとに記憶するフレームメモリ13Ｒ，13Ｇ，13Ｂと、プレスキャンを行う場合に先読画像信号をＲＧＢの色ごとに記憶するフレームメモリ14Ｒ，14Ｇ，14Ｂと、デジタル画像信号に対して後述するようなグレイバランス、明るさ補正および階調補正を行うＬＵＴ15と、ＬＵＴ15により処理がなされた画像信号を後述する感光材料上で適切な色に再現されるような色の信号となるように補正するマトリクス（ＭＴＸ）16と、ＭＴＸ16により補正された信号を明暗信号に変換するためのＭＴＸ17と、明暗信号をボケ信号とするためのローパスフィルタ（ＬＰＦ）18と、ボケ信号のダイナミックレンジを圧縮することにより大面積コントラストを調整するためのボケ画像信号を得るＬＵＴ19と、オリジナルの画像信号と処理済画像信号との加算を行って加算信号Ｓadd を得る加算手段20と、加算信号Ｓadd のコントラスト（すなわち大面積コントラストおよび局所的コントラスト）を補正する、すなわち階調処理を行うためのＬＵＴ21と、コントラストが補正された信号をＤ／Ａ変換するためのＤ／Ａ変換手段22と、先読画像信号ＳP の階調を補正するためのＬＵＴ23と、ＬＵＴ23により階調が補正された先読画像信号ＳP をＤ／Ａ変換するためのＤ／Ａ変換手段24と、Ｄ／Ａ変換がなされた先読画像信号ＳP を可視像として再生するためのＣＲＴ25と、ＣＲＴ25に表示された画像の最終的なパラメータを設定するために画像を操作するためのマウス26と、先読画像信号ＳP から後述するようにヒストグラムを算出し、このヒストグラムに基づいて、ＬＵＴ15，19，21，23を調整するためのパラメータを設定するオートセットアップアルゴリズム27からなるものである。
【００３７】
ここで、ＬＵＴ12は原画図に存在する濃度域を飽和させずに変換する透過率−濃度変換テーブルである。ＬＵＴ15は、グレイバランス、明るさ補正および階調補正を行うものであり、図２（ａ）に示すようなグレイバランス調整テーブル、図２（ｂ）に示す明るさ補正テーブルおよび図２（ｃ）に示すγ補正テーブルがカスケード接続されてなるものである。ＬＵＴ19は、図３（ａ）〜（ｅ）に示すような所定の傾きαを有するダイナミックレンジ圧縮テーブルが記憶されてなるものである。なお、ここでαは負の値をとるものである。このダイナミックレンジ圧縮テーブルは後述するように先読画像信号ＳP に基づいて算出されるものである。ＬＵＴ21は図４に示すように非線形の階調変換テーブルとなっており、入力される信号と再生画像との関係を表すものとなっている。ＬＵＴ23は図５に示すように線形の階調変換テーブルデータを記憶するものである。この階調変換テーブルデータの傾きは、１＋αとなっている。
【００３８】
一方、ＭＴＸ16は読み取られた画像信号を適切な色に仕上げるためのマトリクスであり、フイルム６が有する分光特性と最終的に画像が再生される感光材料の分光特性との組合わせで適切な色に再現されるように画像信号を補正するものである。また、ＭＴＸ17は、ＲＧＢのカラー画像信号を明暗信号に変換するものであり、ＲＧＢの各画像信号の平均値の３分の１、あるいはＹＩＱ規定などを用いてカラー画像信号を明暗信号に変換するものである。
【００３９】
また、ＬＰＦ18は、画像信号を２次元的にぼかすためのボケマスクフィルタであり、図６に示すような特性を有する。ここで、ボケマスクの直径が小さ過ぎると鮮鋭度が不自然に強調されたり、エッジ部分のオーバーシュートが目立つようになってしまう。一方、主要被写体が小さいときにボケマスクの効果があまり現れなかったり、演算量が多くなって装置の規模が大きくなってしまうという欠点が生じる。本出願人による各種シーンに対する実験の結果、１３５フイルムの場合のマスクサイズの半値幅の直径はフイルム上で0.3 から３ｍｍ程度（さらに望ましくは0.5 から２ｍｍ程度が好ましい。なお、フイルムサイズが１３５フイルムよりも大きい場合は、ボケマスクサイズも大きくした方が好ましい。
【００４０】
次いで本発明による実施の形態の作用を説明する。
【００４１】
まず画像読取部１Ａの光源２から光が発せられ、調光部３により所定光量の光とされる。この光量は例えば予め測定されたフイルム６に記録された画像の最低濃度点の透過光量が、ＣＣＤ８の飽和レベルの僅かに下のレベルとなるように設定される。そしてこの光はＲＧＢフィルタ４を透過し、ミラーボックス５により拡散されてフイルム６に照射される。フイルム６に記録されている画像に応じて変調されたフイルム６の透過光はレンズ７を通じてＣＣＤ８に照射され、フイルム６に記録された画像を表す画像信号に光電的に変換される。なお、本実施の形態においてはまず先読画像信号ＳP を得るため、ＣＣＤ８の検出間隔は比較的粗いものに設定される。ここで、ＲＧＢフィルタ４をＲ、Ｇ、Ｂと切り換えることによりカラー画像を表す３色の先読画像信号ＳP が得られ、画像処理部１Ｂに送られる。画像処理部１Ｂにおいては以下の処理がなされる。
【００４２】
画像読取部１Ａにおいて得られた先読画像信号ＳP は微弱であるため、アンプ10により増幅された後にＡ／Ｄ変換器11においてデジタル先読画像信号ＳP に変換される。デジタル画像信号ＳP はＬＵＴ12により濃度信号に変換されてフレームメモリ14Ｒ，14Ｇ，14Ｂにそれぞれ記憶される。
【００４３】
次いで、フレームメモリ14Ｒ，14Ｇ，14Ｂに記憶された先読画像信号ＳP が読み出されてオートセットアップアルゴリズム27およびＬＵＴ23に入力される。オートセットアップアルゴリズム27においては、以下の処理が行われる。
【００４４】
まず、先読画像信号ＳP のヒストグラムが算出される。図７は先読画像信号ＳP のヒストグラムを表す図である。図７に示すヒストグラムにおいて、まずＲＧＢ各色の最高輝度Ｙｍａｘと最低輝度Ｙｍｉｎとを求め、この最高輝度Ｙｍａｘと最低輝度Ｙｍｉｎとに基づいて、ＬＵＴ15において行われる図２（ａ）に示すグレイバランス調整テーブルが設定される。
【００４５】
また、このヒストグラムに基づいて、ＬＵＴ19において行われるダイナミックレンジ圧縮処理のためのダイナミックレンジ圧縮テーブルの設定がなされる。このテーブルの設定は以下のようにして行う。
【００４６】
画像信号と最終的なプリント濃度との関係は以下のようになる。すなわち、信号値とプリント濃度との関係を表すＬＵＴ21の階調曲線において、被写体がつぶれることなく再現できる領域は図４の領域Ｇである。したがって、デジタル画像信号においては、画像に含まれる被写体がこの領域Ｇから外れてしまっていると、キャッチライトのような信号値の高い部分が白くなり、信号値の低い部分が黒くなってしまって、像がとんだりあるいはつぶれたりしてしまうものである。そこで本発明は以下のようにダイナミックレンジ圧縮率を設定することによりこのような明る過ぎる部分および暗過ぎる部分がつぶれることなく感光材料にプリントできるようにするものである。
【００４７】
まず、図７に示すヒストグラムから求められたダイナミックレンジに基づいて、ダイナミックレンジ圧縮率が設定される。これは、図７に示すヒストグラムにより求められた先読画像信号ＳP の最高輝度Ｙｍａｘと最低輝度Ｙｍｉｎとの差であるダイナミックレンジが、図４に示すＬＵＴ21のＹｍａｘ′とＹｍｉｎ′との間の範囲Ｇの信号となるような圧縮率が設定されるものである。すなわち、画像信号のダイナミックレンジがＹｍａｘ′とＹｍｉｎ′との間の範囲Ｇよりも大きいと、画像信号のＹｍａｘ′よりも信号値が大きな部分（明部）に対応する階調曲線γは値が収束しているため、再生画像において明部がつぶれてしまう。また逆に画像信号のＹｍｉｎ′よりも信号値が小さな部分（暗部）に対応する階調曲線γも値が収束しているため、再生画像において暗部がつぶれてしまう。したがって、この明部および暗部のつぶれを生じないように、明部および暗部のダイナミックレンジ圧縮率αl ，αd を設定するものである。すなわち、先読画像信号の最高輝度Ｙｍａｘの近傍の信号がＹｍａｘ′内に収まるように、かつ最低輝度Ｙｍｉｎの近傍の信号がＹｍｉｎ′内に収まるようにダイナミックレンジ圧縮率αl ，αd が設定される。
【００４８】
さらに、画像全体のダイナミックレンジ圧縮率αは図８に示すような関数α（ＤＲ）（ＤＲはダイナミックレンジ）により行う。この関数α（ＤＲ）は、画像信号のダイナミックレンジが閾値ＤＲｔｈよりも小さい場合は、圧縮率が０すなわちダイナミックレンジ圧縮処理を行わないものである。これはダイナミックレンジが小さく、画像の大面積コントラストが小さい場合には、ダイナミックレンジ圧縮処理を施すと、さらに画像の大面積コントラストが小さくなり、かえって再生画像が見にくくなってしまうからである。ここで、画像の中に存在するキャッチライトなどの明部の画像については、ダイナミックレンジ圧縮処理により階調を出すよりも、再生画像上の最低濃度をとばしたほうがよい。このため図８においてはダイナミックレンジがＤＲｍａｘよりも大きい値の時には、αは下限値αｍａｘにおいてクリップしている。
【００４９】
次いで、ＬＵＴ19におけるダイナミックレンジ圧縮を行うためのテーブルの設定を行う。まず、図８に基づいて求められた圧縮率αにより、画像全体についてのダイナミックレンジ圧縮テーブルを設定する。画像全体のダイナミックレンジ圧縮テーブルは図３（ａ）に示すように、画像信号を変数とした単調減少関数であり、信号値Ｙ０を中心としたその傾斜αの大きさによりダイナミックレンジ圧縮テーブルの関数ｆ（α）が設定される。ここで、信号値Ｙ０の値としては、例えばカラー画像に含まれる被写体が人物である場合、肌色と略同一の濃度である０．５０〜０．７０の間の値、好ましくは０．６に設定される。このように、信号値Ｙ０の値を設定すると、ダイナミックレンジ圧縮はその濃度の明るさ補正に対して影響を及ぼさないため、明るさ補正とダイナミックレンジ圧縮処理との機能の分離が明確になり、その結果オートセットアップアルゴリズム27におけるパラメータが設定し易くなるためである。さらに、明るさ補正処理が主要部の明るさを適正に調整できなかったときには、ダイナミックレンジ圧縮処理は主要部をＹ０に近い値とするように作用するというメリットも得られる。
【００５０】
一方、図３（ｂ）、（ｃ）に示すように、画像信号値が大きい側すなわち明るい側のダイナミックレンジ圧縮テーブルの関数ｆl （αl ）および画像信号値が小さい側すなわち暗い側のダイナミックレンジ圧縮テーブルの関数ｆd （αd ）が設定される。これは、上述したように設定したダイナミックレンジ圧縮率αl 、αd により定められる関数である。
【００５１】
そしてこのようにして求められたｆ（α）、ｆl （αl ）およびｆd （αd ）を下記の式（１）により加算し、ＬＵＴ21において設定される最終的なダイナミックレンジ圧縮テーブルの関数ｆt （α）を設定する。
【００５２】
ｆｔ（α）＝ｆ（α）＋ｆｌ（αｌ  ）＋ｆｄ（αｄ）        （１）
ここで、関数ｆｌ  （αｌ  ）およびｆｄ  （αｄ  ）が図３（ｄ），（ｅ）に示すような関数の場合、関数が点Ｐおよび点Ｑにおいて不連続となっているため、この点Ｐ，Ｑに相当する濃度領域に、元の画像にはとくに輪郭は存在しないにも拘わらず処理済画像にアーチファクトが生じる場合がある。このため、関数ｆｌ  （αｌ  ）およびｆｄ  （αｄ  ）を図３（ｂ），（ｃ）に示すように、点Ｐ，Ｑにおいて微係数が連続するような関数にすることにより、アーチファクトの発生を防止することができる。
【００５３】
ここで、関数ｆl （αl ）およびｆd （αd ）はＹ０を端点とする直線である。なお、アーチファクトの発生を抑制するために、図３（ｂ），（ｃ）に示すように微係数が連続する関数とすることが好ましい。
【００５４】
そして、このようにしてダイナミックレンジ圧縮率が設定されると、このダイナミックレンジ圧縮率により先読画像信号ＳP に対してダイナミックレンジ圧縮処理を行い、さらにダイナミックレンジ圧縮処理が施された先読画像信号ＳP をＬＵＴ23に入力し、ここで階調処理を施し、さらにＤ／Ａ変換器24によりＤ／Ａ変換されてモニタ25に先読画像信号ＳP を可視像として表示する。ここで、モニタ25に表示する画像は先読画像信号ＳP に基づく画像であり、ダイナミックレンジ圧縮の効果を表示画像に反映させることが必要である。しかしながら、先読画像信号ＳP に対してダイナミックレンジ圧縮処理を施すと、システムの規模が大きくなってしまうという問題がある。モニタ25に表示する画像としては、図５に示すような、ダイナミックレンジ圧縮率α＋１を傾きとする単純な階調変換テーブルにより先読画像信号ＳP を階調変換してモニタ25に表示するのみで、ダイナミックレンジ圧縮率の確認を行うには十分である。したがって、図５に示すような階調変換テーブルをＬＵＴ23に記憶しておき、先読画像信号ＳP に対してダイナミックレンジ圧縮処理を行うことなく、この階調変換テーブルにより階調変換処理を施してモニタ25に表示することにより、システムの規模を大きくすることなく、ダイナミックレンジ圧縮率をモニタ25により確認することができる。
【００５５】
図９は、先読画像信号ＳP がモニタ25に表示された状態を表す図である。モニタ25には表示された画像の圧縮率を、マウス26により調整するための調整部25Ａが表示されており、これをマウス26により調整してモニタ25に表示されている先読画像信号ＳP により表される画像のシーンの判別を行い、ダイナミックレンジ圧縮率の微調整を行う。そしてここで調整されたダイナミックレンジ圧縮率はオートセットアップアルゴリズム27に入力され、これによりＬＵＴ19におけるダイナミックレンジ圧縮テーブルが最終的に設定される。
【００５６】
なお、本実施の形態においては、モニタ25に表示された画像をオペレータが観察してオートセットアップアルゴリズム27により設定された圧縮率を調整するようにしているが、オートセットアップアルゴリズム27が画像のシーンの判別も行い、自動的にダイナミックレンジ圧縮率を調整するようにしてもよい。
【００５７】
そしてこのようにしてオートセットアップアルゴリズム27により、ＬＵＴ15，19，21の設定が終了すると、本読みが行われる。
【００５８】
まず画像読取部１Ａの光源２から光が発せられ、調光部３により所定光量の光とされる。なお、本読の場合、調光部３の光量はフレームメモリ14Ｒ，14Ｇ，14Ｂに記録された先読画像信号ＳP の値に応じて設定されている。そしてこの光はＲＧＢフィルタ４を透過し、ミラーボックス５により拡散されてフイルム６に照射される。フイルム６に記録されている画像に応じて変調されたフイルム６の透過光はレンズ７を通じてＣＣＤ８に照射され、フイルム６に記録された画像を表す画像信号に光電的に変換される。なお、この場合は本読画像信号ＳQ を得るため、ＣＣＤ８の検出間隔は比較的細かいものに設定される。ここで、ＲＧＢフィルタ４をＲ、Ｇ、Ｂと切り換えることによりカラー画像を表す３色の本読画像信号ＳQ が得られ、画像処理部１Ｂに送られる。画像処理部１Ｂにおいては以下の処理がなされる。
【００５９】
画像読取部１Ａにおいて得られた本読画像信号ＳQ は微弱であるため、アンプ10により増幅された後にＡ／Ｄ変換器11においてデジタル本読画像信号ＳQ に変換される。デジタル本読画像信号ＳQ はＬＵＴ12により濃度信号に変換されてフレームメモリ13Ｒ，13Ｇ，13Ｂにそれぞれ記憶される。
【００６０】
次いで、フレームメモリ13Ｒ，13Ｇ，13Ｂに記憶された本読画像信号ＳQ が読み出されて、ＬＵＴ15により、オートセットアップアルゴリズム27において定められた図２（ａ），（ｂ），（ｃ）に示すグレイバランステーブル、明るさ補正テーブルおよび階調補正テーブルによりそれぞれグレイバランスの補正、明るさの補正および階調の補正が行われる。このように、ＬＵＴ15により補正がなされた本読画像信号ＳQ はＭＴＸ16に入力され、ここで色の補正がなされる。ここでＭＴＸ16は上述したようにフイルム６が有する分光特性と最終的に画像が再生される感光材料の分光特性とを合わせて色が再現されるようにデジタル画像信号を補正するものである。ＭＴＸ16により色補正がなされたデジタル本読画像信号ＳQ は、加算手段20に入力される一方で、ＭＴＸ17に入力される。ＭＴＸ17においては、ＲＧＢ信号から明暗信号が生成される。この明暗信号の生成は、ＲＧＢの各画像信号の平均値の３分の１、あるいはＹＩＱ規定などを用いてカラー画像信号を明暗信号に変換するものである。例えば、ＹＩＱ規定により明暗信号を求める場合は、下記の式（２）によりＹＩＱ規定のＹ成分のみをＲＧＢの信号値に基づいて算出することにより行う。
【００６１】
Ｙ＝０．３Ｒ＋０．５９Ｇ＋０．１１Ｇ              （２）
このようにして得られた明暗信号は次いでＬＰＦ18によりボケマスク信号に変換される。そしてこのボケマスク信号はＬＵＴ19に入力され、前述したオートセットアップアルゴリズム27により設定されたダイナミックレンジ圧縮の関数ｆt（α）に基づいて、ダイナミックレンジ圧縮処理が行われる。そしてダイナミックレンジ圧縮処理が施された本読画像信号ＳQ は加算手段20に入力され、ＭＴＸ16において色補正がなされた本読画像信号と加算され、加算信号Ｓadd が得られる。この加算信号Ｓadd は画像の低周波成分のダイナミックレンジが圧縮されたものとなっている。そしてこのようにして得られた加算信号Ｓadd はＬＵＴ21に入力され、ここで最終的な出力媒体（例えば感光材料など）に合わせた階調処理が施され処理済画像信号が得られる。
【００６２】
ここで、処理済画像信号の周波数特性を図10に示す。図10に示すように、ＬＰＦ18の通過帯域は、大面積コントラストに相当する。一方、局所的なコントラストは、ＬＰＦ18の通過帯域よりも高周波成分であるため、ＬＵＴ19によっては圧縮されないこととなる。したがって、処理済画像信号を再生することにより得られる画像は、局所的なコントラストを維持した状態で、ダイナミックレンジ圧縮処理を行うことができ、アナログ面露光での覆い焼きに相当する画像処理を行うことが可能となる。
【００６３】
ここで、画像処理部１Ｂにおける画像信号のビット数を図11に示す。画像信号のビット数は画像の階調分解能を定める重要なものである。画像の階調分解能が低いと再生された画像にアーチファクトが発生してしまう。例えば、図11（ａ）に示すように、画像信号をすべて８ビット（２５６階調）で演算を行った場合には、再生した画像にアーチファクトが発生してしまうことがある。これは、ＬＵＴ21において、階調をたてる処理を行った際に、ＬＵＴ19の出力の1 ＬＳＢが拡大されることにより、偽輪郭が視認されてしまうことによるものである。例えば、図12（ａ）に示すように、ダイナミックレンジ圧縮率が１／４である場合を考えると、８ビットの画像信号の１ＬＳＢをＬＵＴ21により階調変換すると、例えばＬＵＴ21のγの値が１．５のときには、処理済の信号において１ＬＳＢ当たりの信号の変化量が略１．５倍となるため、再生画像において階段状の模様が目立つものとなってしまう。これに対して図11（ｂ）に示すようにＬＵＴ21に入力される前の画像信号を８ビットから10ビットに変換してＬＵＴ21において階調処理を行い、再度８ビットに戻すことにより、アーチファクトの発生を抑制することができる。すなわち、図12（ｂ）に示すように、10ビットの画像信号の場合は、ＬＵＴ19による処理後の１ＬＳＢは、８ビットの場合の１／４となり、これによりＬＵＴ21により階調変換された信号もダイナミックレンジ圧縮信号の１．５×１／４倍となる。したがって、ＬＵＴ19によりダイナミックレンジ圧縮処理が施される画像信号のビット数を10ビット以上とすることにより、８ビットで処理を行うものと比較して、アーチファクトの発生を防止することができる。
【００６４】
そしてこのようにして得られた処理済画像信号は、Ｄ／Ａ変換器22に入力されてアナログ信号に変換される。Ｄ／Ａ変換器22により変換されたアナログ信号は図13に示す現像部100 に入力される。現像部100 においては以下の処理がなされる。
【００６５】
画像処理部１Ｂより出力された画像信号は、図示しないＡＯＭドライバに転送される。ＡＯＭドライバは、転送された画像情報に応じて光ビームを変調するように、画像露光部98の音響光学変調器（ＡＯＭ）104 を駆動する。
【００６６】
一方、画像露光部98は、光ビーム走査（ラスタースキャン）によって感光材料Ａを走査露光して、画像情報の画像を感光材料Ａに記録するものであり、図13にに示すように、感光材料Ａに形成されるＲ感光層の露光に対応する狭帯波長域の光ビームを射出する光源102 Ｒ、以下同様にＧ感光層の露光に対応する光源102 Ｇ、およびＢ感光層の露光に対応する光源102 Ｂの各光ビームの光源、各光源より射出された光ビームを、それぞれ記録画像に応じて変調するＡＯＭ104 Ｒ，104 Ｇおよび104 Ｂ、光偏向器としてのポリゴンミラー96、ｆθレンズ106 と、感光材料Ａの副走査搬送手段108 を有する。
【００６７】
光源102 （102 Ｒ，102 Ｇ，102 Ｂ）より射出され、互いに相異なる角度で進行する各光ビームは、それぞれに対応するＡＯＭ104 （104 Ｒ，104 Ｇ，104 Ｂ）に入射する。なお、光源102 としては、感光材料Ａの感光層に対応する所定波長の光ビームを射出可能な各種の光ビーム光源が利用可能であり、各種の半導体レーザ、ＳＨＧレーザ、Ｈｅ−Ｎｅレーザ等のガスレーザ等が例示される。また各光ビームを合波する合波光学系であってもよい。各ＡＯＭ104 には、ＡＯＭドライバより記録画像に応じたＲ，ＧおよびＢそれぞれの駆動信号ｒ，ｇおよびｂが転送されており、入射した光ビームを記録画像に応じて強調変調する。
【００６８】
ＡＯＭ104 によって変調された各光ビームは、光偏向器としてのポリゴンミラー96に入射して反射され、主走査方向（図中矢印ｘ方向）に偏向され、次いでｆθレンズ106 によって所定の走査位置ｚに所定のビーム形状で結像するように調整され、感光材料Ａに入射する。なお、光偏向器は、ポリゴンミラーのみならず、レゾナントスキャナ、ガルバノメータミラー等であってもよい。また、このような画像露光部98には、必要に応じて光ビームの整形手段や面倒れ補正光学系が配備されていてもよいのはもちろんである。
【００６９】
一方、感光材料Ａはロール状に巻回されて遮光された状態で所定位置に装填されている。このような感光材料Ａは引き出しローラ等の引き出し手段に引き出され、カッタによって所定長に切断された後（図示省略）、副走査手段108 を構成する走査位置ｚを挟んで配置されるローラ対108 ａおよび108 ｂによって、走査位置ｚに保持されつつ主走査方向と略直交する副走査方向（図中矢印ｙ方向）に副走査搬送される。ここで、光ビームは前述のように主走査方向に偏向されているので、副走査方向に搬送される感光材料Ａは光ビームによって全面を２次元的に走査され、ＬＵＴ19により処理がなされた画像信号により表される画像情報の画像が記録される。
【００７０】
露光を終了した感光材料Ａは、次いで搬送ローラ対110 によって現像部100 に搬入され、現像処理を施され仕上りプリントＰとされる。ここで、例えば感光材料Ａが銀塩写真感光材料であれば、現像部100 は発色・現像槽112 、漂白・定着槽114 、水洗槽116 ａ，116 ｂおよび116 ｃ、乾燥部118 等より構成され、感光材料Ａはそれぞれの処理槽において所定の処理を施され、仕上りプリントＰとして出力される。
【００７１】
図13に示す実施の形態においては、光ビームをＡＯＭ104 によって変調した構成であったが、これ以外にも、光源がＬＤ等の直接変調が可能なものであれば、これによって光ビームを記録画像に応じて変調してもよい。また、副走査搬送手段も走査位置を挟んで配置される２組のローラ対以外に、走査位置に感光材料を保持する露光ドラムと走査位置を挟んで配置される２本のニップローラ等であってもよい。
【００７２】
さらに、上述した光ビーム走査以外にも、ドラムに感光材料を巻き付けて、光ビームを一点に入射して、ドラムを回転すると共に軸線方向に移動する、いわゆるドラムスキャナであってもよい。また、光ビーム走査以外にも、面光源と液晶シャッタとによる面露光であってもよく、ＬＥＤアレイ等の線状光源を用いた露光であってもよい。また図13では、感光材料は露光前にシート状にカットされるようになっているが、ロールのまま露光して現像部100 の前または後でカットするようにしてもよい。
【００７３】
このようにして、現像部100 において可視像として再生される画像は、元のカラー画像が逆光のシーンであっても被写体である人間が黒くつぶれてしまうこともなく、また明るい背景の部分の像がとんでしまうこともなくなる。さらに、ストロボを用いた撮影により得られた画像であっても、近くに写る人物や背景などがつぶれることなく画像を再生することができ、適切なダイナミックレンジ圧縮処理が施されたものとなる。
【００７４】
また、照明光源の輝度分布を制御することにより覆い焼きを行う場合は、ＭＴＸ17の係数の選択により色再現性のコントロールを行うしか方法がないため、色再現性を調整しようとするとエッジ部分は明るさと色再現性とが同時に変化してしまい不自然なプリントになってしまう。しかしながら、ＭＴＸ17をカラー信号を明暗信号に変換するものとしたため、被写体のエッジ部分の明るさは変化するものの、色再現性は変化しないため、自然な仕上りのプリントを得ることができる。
【００７５】
さらに、ＬＵＴ21を非線形なものとしたため、原画フイルムの特性の非線形な部分（例えばオーバー部分、アンダー部分など）の階調補正も可能なものとなる。
【００７６】
また、鮮鋭度強調のための処理ブロックを加えることにより画像の局部的なコントラストを強調することができる。
【００７７】
なお、上記実施の形態においては、プレススキャンを行って先読画像信号ＳPを得、この先読画像信号ＳP に基づいてオートセットアップアルゴリズム27により、ＬＵＴ15，19，21のテーブルの設定を行うようにしているが、プレスキャンを行わなくとも、本実施の形態における本読画像信号ＳQ に相当する信号を１回の読取りにより得、この画像信号に基づいてオートセットアップアルゴリズム27により、ＬＵＴ15，19，21のテーブルの設定を行うようにしてもよいものである。このように、プレスキャンを行うことなくフィルム６からの画像の読取りを１回行うのみで画像信号の処理を行うことができるため、画像の処理を高速に行うことができる。また、読取りを１回だけ行えばよいため、上述した特開昭58-66929号、特開昭64-35542号、特公昭64-10819号などの記載された装置のように、スキャン時と露光時との間でフイルムを移動させる必要がなく、これにより画像信号とマスク信号との間で移動量誤差によるずれがなくなり、常に良好な再生画像を得ることができる。
【００７８】
さらに、図14に示すように、フレームメモリ13Ｒ，13Ｇ，13Ｂに記憶された本読画像信号ＳQ に対して、３×３あるいは５×５サイズの非鮮鋭マスク30によりフィルタリング処理を施して、本読画像信号ＳQ のボケマスク信号Ｓusを得、このボケマスク信号Ｓusを減算手段31において、オリジナルの画像信号から減算して差信号を得、この差信号に対してゲインＨ32において所定の強調係数を乗じて、加算手段20においてオリジナルの画像信号、およびＬＵＴ19においてダイナミックレンジ圧縮処理が施された画像信号とともに加算して、ＬＵＴ21に入力して階調処理を施し、処理済画像信号を得るようにしてもよい。この処理は、非鮮鋭マスク処理（いわゆるボケマスク処理）であり、オリジナルの画像信号をＳorg 、非鮮鋭マスクにより処理されたボケマスク信号をＳus、強調係数をβ、ボケマスク処理がなされた信号をＳprocとしたとき、下記の式（３）により表されるものとなる。
【００７９】
Ｓproc＝Ｓorg ＋β（Ｓorg −Ｓus）            （３）
このようなボケマスク処理をさらに施すことにより得られる処理済画像信号の周波数特性を図15に示す。図15に示すように、処理済画像信号の周波数特性は、上述したダイナミックレンジ圧縮処理により低周波成分Ｌのダイナミックレンジが圧縮されるとともに、高周波成分Ｈがより強調されたものとなる。したがって、再生画像の鮮鋭度を強調された画像を得ることができることとなる。
【図面の簡単な説明】
【図１】本発明による画像読取装置の実施の形態を表す図
【図２】ＬＵＴ15において行われるグレイバランス調整、明るさ補正、階調変換のテーブルを表す図
【図３】ＬＵＴ19において行われるダイナミックレンジ圧縮処理を行うためのテーブルを表す図
【図４】ＬＵＴ21において行われる階調変換を行うためのテーブルを表す図
【図５】ＬＵＴ23において行われる階調変換を行うためのテーブルを表す図
【図６】ローパスフィルタの形状を表す図
【図７】画像信号のヒストグラムを表す図
【図８】ダイナミックレンジとその圧縮率の関係を表す図
【図９】モニタに表示される画像を表す図
【図１０】処理済画像信号の周波数特性を表す図
【図１１】８ビット信号による画像処理および10ビット信号による画像処理を行うための装置を表す図
【図１２】８ビットの画像信号および10ビットの画像信号を表す図
【図１３】現像処理部を表す図
【図１４】ボケマスク処理をさらに行うための画像処理部を表す図
【図１５】ボケマスク処理をさらに行うことにより得られた処理済画像信号の周波数特性を表す図
【符号の説明】
２    光源
３    調光部
４    ＲＧＢフィルタ
５    ミラーボックス
６    フイルム
７    レンズ
８    ＣＣＤ
10    アンプ
11    Ａ／Ｄ変換器
15，19，21，23    ＬＵＴ
13Ｒ，13Ｇ，13Ｂ，14Ｒ，14Ｇ，14Ｂ    フレームメモリ
16，17    ＭＴＸ
18，30    ローパスフィルタ（ＬＰＦ）
20    加算手段
22，24    Ｄ／Ａ変換器
25    モニタ
26    マウス
27    オートセットアップアルゴリズム
100     現像部
【図１】
0003669448.tif 000002
【図２】
0003669448.tif 000003
【図３】
0003669448.tif 000004
【図４】
0003669448.tif 000005
【図５】
0003669448.tif 000006
【図６】
0003669448.tif 000007
【図７】
0003669448.tif 000008
【図８】
0003669448.tif 000009
【図９】
0003669448.tif 000010
【図１０】
0003669448.tif 000011
【図１１】
0003669448.tif 000012
【図１２】
0003669448.tif 000013
【図１３】
0003669448.tif 000014
【図１４】
0003669448.tif 000015
【図１５】
0003669448.tif 000016